(57)【特許請求の範囲】
【請求項１】
上から順に冷凍室と冷蔵室とが構成され、前記冷凍室と前記冷蔵室との間には、仕切壁が設けられたトップフリーザ形態の冷蔵庫であって、
前記冷凍室の床面に設けられた複数のリブと、
前記複数のリブ上に設けられ、前記リブの上端部と接触した床上棚と、
を備え、
前記床上棚は、着脱自在であり、
前記冷凍室内の左右の側面には、１対のレールが設けられ、
前記床上棚は、前記複数のリブと前記１対のレールとに上下方向にて挟まれて保持される冷蔵庫。
【請求項２】
前記複数のリブの高さは、前記床上棚と接触した前記リブの上端部から下方にて前記複数のリブのうち隣り合うリブと前記床上棚と前記床面との間に隙間を形成する高さである請求項１に記載の冷蔵庫。
【請求項３】
前記複数のリブの隣接した間隔は、前記複数のリブのうち隣り合うリブの間に１５〜２０ｍｍの幅である請求項１又は２に記載の冷蔵庫。
【請求項４】
前記複数のリブの上端部は、丸みを帯びた形状である請求項１〜３のいずれか１項に記載の冷蔵庫。
【請求項５】
前記複数のリブは、室内前面側から奥面側に直線状に延伸される請求項１〜４のいずれか１項に記載の冷蔵庫。
【請求項６】
前記床上棚の下面は、前記複数のリブの上端部と接触する部分が当該リブに嵌まり込む上方に凹んだ凹部を有する請求項１〜５のいずれか１項に記載の冷蔵庫。
【請求項７】
前記床上棚は、前記１対のレールのそれぞれに引っ掛かる１対の爪部を有する請求項１〜６のいずれか１項に記載の冷蔵庫。
【請求項８】
前記床上棚は、熱伝導性の優れた金属系物質で構成される請求項１〜７のいずれか１項に記載の冷蔵庫。
【請求項９】
前記複数のリブのうち隣り合うリブと前記床上棚と前記床面との間に、室内前面側から奥面側に冷気が流れる戻り風路が形成される請求項１〜８のいずれか１項に記載の冷蔵庫。
【請求項１０】
前記冷凍室の奥面の下部には、前記床上棚の上方を室内前面側から奥面側に流れる冷気と、前記戻り風路を室内前面側から奥面側に流れる冷気と、が前記冷凍室の背面の奥側に形成された冷却室に戻される冷気吸込口が形成される請求項９に記載の冷蔵庫。
【請求項１１】
前記冷気吸込口は、前記冷凍室の奥面の下部にて前記床上棚の上方を室内前面側から奥面側に流れる冷気が前記冷却室に戻される第１吸込口と、前記冷凍室の奥面の下部における前記第１吸込口の下方にて前記戻り風路を室内前面側から奥面側に流れる冷気が前記冷却室に戻される第２吸込口と、を有する請求項１０に記載の冷蔵庫。
【請求項１２】
前記冷凍室の奥面の上部における前記冷気吸込口よりも上方には、室内上部を室内奥側から前面側に流れる冷気を吹き出す吹出口が形成される請求項１０又は１１に記載の冷蔵庫。
【請求項１３】
前記仕切壁内には、断熱材が充填される請求項１〜１２のいずれか１項に記載の冷蔵庫。
【請求項１４】
前記冷凍室の下方の前記冷蔵室内の上部領域に形成され、−３℃前後のマイナス温度帯の室又は０〜−３℃前後の室に切り換え自在な切換室を備える請求項１〜１３のいずれか１項に記載の冷蔵庫。
【発明の詳細な説明】
【技術分野】
【０００１】
本発明は、トップフリーザ形態の冷蔵庫に関する。
【背景技術】
【０００２】
トップフリーザ形態の冷蔵庫として、たとえば、特許文献１、２に開示されたものが知られている。これらの文献の冷蔵庫では、冷蔵庫本体の上部に冷凍室が構成され、冷凍室の下方に冷蔵室が構成されている。これらの冷蔵庫では、冷凍室の背面の奥側に冷却室が形成され、冷却室内に冷気を生成する冷却器が設けられている。そして、冷蔵室の背面の中央部には、冷却器によって生成された冷気を冷蔵室に供給する冷気ダクトが上下方向に延伸して設けられている。【０００３】
冷蔵室には、冷蔵室内の空間を仕切る複数の収納棚が設けられている。各収納棚間には、冷気吹出口が形成され、冷気ダクトと繋がっている。収納棚の奥側端部は、冷蔵室背面壁に接続されている。この構成によって、冷気吹出口から吹き出された冷気の一部が冷蔵室背面壁と収納棚の奥側端部との間から下方に直接流出することが防止されている。【０００４】
一方、これらの冷蔵庫では、冷凍室に食品を満載にしたときに、冷凍室の各食品保存温度のバラつきがある。特に、冷凍室内の中央下部領域の食品の温度が高くなる傾向がある。この課題は、特許文献２では、冷凍室の床面に設けられたリブと、冷凍室内の戻り風路と、が構成され、冷蔵室側からの伝熱効果が排除されることによって解決されている。【０００５】
また、冷蔵庫の形態は異なるが特許文献３では、冷凍室の下部領域に様々な形状のリブを設けることにより、食品の冷却保存温度を安定させる技術が開示されている。
【先行技術文献】
【特許文献】
【０００６】
【特許文献１】実開昭５９−４５４７１号公報
【特許文献２】実開昭５３−５１６６１号公報
【特許文献３】特開２００８−５７９０４号公報
【発明の概要】
【発明が解決しようとする課題】
【０００７】
しかしながら、上述した技術では、冷蔵庫としての利便性を保ちつつ、冷凍室内の食品が均一に冷却されるために改善するべき点があった。【０００８】
特許文献１、２は、一般的なトップフリーザ形態の冷蔵庫である。そして、上述の冷凍室内の食品温度のバラツキが改善されるために、特許文献２の技術が開発されている。【０００９】
特許文献２の冷蔵庫では、床面にリブが存在する。しかし、リブ上には、食品が置き難く、食品を積載して保存するには不向きである。また、複数のリブの間隔を狭くすれば食品の置き易さは改善される。しかし、複数のリブの間隔が狭いと、使用者が隣り合うリブの間が掃除時に綺麗にできず、清掃性が悪くなる。【００１０】
また、特許文献３の冷蔵庫では、冷凍室内での食品満載時の保存が考慮されていない。すなわち、冷凍室内での食品満載時に、リブが設けられた床面が平坦ではなく不安定であるため、食品崩れによる食品落下が発生するおそれがある。特に、トップフリーザ形態の冷蔵庫の場合には、最上段に冷凍室が配置されている。このため、冷凍室内で食品満載時に食品崩れが発生して冷凍室内から崩れた食品が落下し、冷凍庫の扉を開いた使用者などが落下食品に当たるおそれがある。【００１１】
本発明は、上記課題を解決するためのものであり、冷凍室内での食品積載時の保存温度のバラツキが抑制されるとともに、冷凍室の清掃性及び使用者の利便性が向上される冷蔵庫を提供することを目的とする。
【課題を解決するための手段】
【００１２】
本発明に係る冷蔵庫は、上から順に冷凍室と冷蔵室とが構成され、前記冷凍室と前記冷蔵室との間には、仕切壁が設けられたトップフリーザ形態の冷蔵庫であって、前記冷凍室の床面に設けられた複数のリブと、前記複数のリブ上に設けられ、前記リブの上端部と接触した床上棚と、を備え、前記床上棚は、着脱自在であり、前記冷凍室内の左右の側面には、１対のレールが設けられ、前記床上棚は、前記複数のリブと前記１対のレールとに上下方向にて挟まれて保持されるものである。
【発明の効果】
【００１３】
本発明に係る冷蔵庫によれば、複数のリブ上には、リブの上端部と接触した床上棚が設けられる。このため、複数のリブが設けられ、冷凍室の下方に配置された冷蔵室からの伝熱による熱量侵入が抑制できる。また、複数のリブのうち隣り合うリブの間に冷気が流れる風路が形成され、床上棚上の食品が床上棚の下方からも冷却できる。よって、冷凍室内での食品積載時の保存温度のバラツキが抑制できる。また、リブ上ではなく、床上棚上に食品が載り、床上棚の上面が使用により汚れるので、使用者は床上棚の上面を掃除すれば良く、冷凍室の清掃性が向上できる。さらに、リブ上ではなく、床上棚上に食品が載り、食品の載置状態が安定するので、冷凍室内で食品満載時に食品崩れが発生し難く、使用者の利便性が向上できる。したがって、冷凍室内での食品積載時の保存温度のバラツキが抑制できるとともに、冷凍室の清掃性及び使用者の利便性が向上できる。
【図面の簡単な説明】
【００１４】
【図１】本発明の実施の形態１に係る冷蔵庫の外観を示す正面図である。
【図２】本発明の実施の形態１に係る冷却風路を含む冷蔵庫内の構成を示す内部構成図である。
【図３】本発明の実施の形態１に係る戻り風路を含む冷蔵庫内の構成を示す内部構成図である。
【図４】本発明の実施の形態１に係る冷蔵庫における冷凍室を図３のＺ−Ｚ断面にて示す横断面図である。
【図５】本発明の実施の形態１に係る冷蔵庫における冷凍室を図２のＹ−Ｙ断面にて示す縦断面図である。
【図６】本発明の実施の形態１に係る冷蔵庫における床上棚の爪部とレールとの固定箇所を図５のＡ部を拡大して示す拡大図である。
【図７】本発明の実施の形態１に係る冷蔵庫における床上棚を装着する第１動作を示す説明図である。
【図８】本発明の実施の形態１に係る冷蔵庫における床上棚を装着する第２動作を示す説明図である。
【図９】本発明の実施の形態１に係る冷蔵庫における床上棚を装着する第３動作を示す説明図である。
【発明を実施するための形態】
【００１５】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。また、明細書中における各構成部材のたとえば上下関係などの位置関係は、原則として、冷蔵庫１を使用可能な状態に設置したときのものである。
【００１６】
実施の形態１．
＜冷蔵庫の構成＞
図１は、本発明の実施の形態１に係る冷蔵庫１の外観を示す正面図である。図２は、本発明の実施の形態１に係る冷却風路１０を含む冷蔵庫１内の構成を示す内部構成図である。
【００１７】
図１に示すように、冷蔵庫１は、正面側である前面が開口されて内部に貯蔵空間が形成された断熱箱体を備える。断熱箱体は、鋼鉄製の外箱と、樹脂製の内箱と、外箱と内箱との間の空間に充填された断熱材と、から構成されている。断熱箱体の内部に形成された貯蔵空間は、複数の区画部材によって、被冷却物が保存される複数の貯蔵室に区画されている。冷蔵庫１は、上から順に冷凍室２と冷蔵室３とが構成されている。図２に示すように、冷凍室２と冷蔵室３との間には、仕切壁７が設けられている。冷蔵庫１は、このようなトップフリーザ形態の冷蔵庫である。
【００１８】
図２に示すように、冷蔵庫１は、複数の貯蔵室として、最上段に配置される冷凍室２と、冷凍室２の下方に配置される冷蔵室３と、冷蔵室３の最下段に配置される野菜室４と、冷蔵室３の最上段に配置されるチルド室５と、を備える。ここで、冷凍室２の下部領域に冷蔵室３が設置される構造であれば、冷蔵庫１が備える貯蔵室の種類及び数はこれらに限定されるものではない。また、以下では、被冷却物は食品であるものとして説明する。
【００１９】
図２に示すように、冷蔵庫１の背面側には、各貯蔵室内を冷却する冷却装置が配置されている。冷却装置は、冷媒を圧縮して吐出する圧縮機６と、蒸発器として機能して空気を冷却する冷却器８と、冷却器８で生成された冷気を移動させる送風ファン９と、を備える。冷蔵庫１は、冷気が流れる風路であって冷却器８及び送風ファン９などが設置される冷却風路１０を有する。
【００２０】
圧縮機６は、冷媒吐出側が図示しない凝縮器に接続され、冷媒吸入側が冷却器８に接続されている。冷却器８は、蒸発器として機能して自身を通過する冷媒と冷却風路１０の空気とを熱交換させて冷気を生成する。圧縮機６及び冷却器８は、凝縮器及び図示しない膨張手段とともに、冷凍サイクル回路を構成する。送風ファン９は、冷却風路１０を介して冷凍室２、冷蔵室３、野菜室４及びチルド室５へ冷気を供給する。
【００２１】
冷却風路１０は、冷蔵庫１内の上側から下側にかけての上下方向に、筐体５０に形成された内壁パネル１９内に縦方向に設けられている。より詳細には、冷却風路１０は、冷凍室２、冷蔵室３及び野菜室４の背面の奥側に設けられている。冷却風路１０では、ダンパ１１の開度が変化し、冷却風路１０を通過する冷気の風量が調整される。
【００２２】
冷凍サイクル回路の動作によって冷却器８で冷媒と熱交換されて冷却された冷気は、送風ファン９によって、冷蔵庫１の背面の冷却風路１０を通って冷凍室２又は冷蔵室３などの貯蔵室に供給される。
【００２３】
図３は、本発明の実施の形態１に係る戻り風路１６、２２を含む冷蔵庫内の構成を示す内部構成図である。冷蔵室３などを通過した冷気は、図３に示すように、戻り風路１６を通って冷却器８に戻され、再度冷却されて、各貯蔵室に送られる。
【００２４】
図２、図３に示すように、冷蔵庫１は、制御装置１００を有する。そして、各貯蔵室の温度は、各貯蔵室に設置された図示しない温度センサが検出する。制御装置１００は、温度センサが検出する温度が各貯蔵室において設定された温度になるように、冷蔵庫１内の各種機器を制御する。たとえば、制御装置１００は、冷却風路１０に設置されたダンパ１１の開度、圧縮機６の出力及び送風ファン９の送風量などを制御する。
【００２５】
＜冷凍室２＞
冷凍室２は、たとえば、−１８℃以下といった０℃未満の冷凍温度帯に設定された貯蔵室である。図２、図３に示すように、冷凍室２は、冷蔵室３の上側に設けられ、冷凍する食品を収納する。冷凍室２には、開口部を開閉するたとえば観音開式などの回転式の扉１４ａが設けられている。なお、冷凍室２の扉１４ａは、観音開式の扉ではなく、１枚式の回転式扉でも良い。扉１４ａの開閉によって、冷凍室２と冷蔵庫１外との間の開放及び遮断が行われる。また、内壁パネル１９が、冷凍室２内の後壁となる。後述するが、冷凍室２内には、複数のリブ１８と、床上棚１５と、が設けられている。
【００２６】
＜冷蔵室３＞
冷蔵室３は、たとえば、約３〜５℃といった冷蔵温度帯に設定され、食品を収納する貯蔵室である。冷蔵室３には、図２に示すように、食品などを載置する棚１２などが設けられている。冷蔵室３の前面に形成された開口部には、開口部を開閉するたとえば観音開式などの回転式の扉１４ｂが設けられている。ここで、冷蔵室３の扉１４ｂは、観音開式の扉ではなく、１枚式の回転式扉でも良い。また、内壁パネル１９が、冷蔵室３内の後壁となる。そして、図２、図３に示すように、冷蔵庫１では、冷蔵室３内の最上部に、チルド室５が設けられている。
【００２７】
収納容器３０は、チルド室５に保存する食品を収納する容器である。収納容器３０は、たとえばチルド室５の側壁内側に設けられた図示しないレールに沿って前後方向に移動可能な引出し式の容器である。ここで、レールは、チルド室５の底棚にあっても良い。また、レールは必ずしも設置されていなくても良い。使用者は、チルド室５から収納容器３０を引き出し、収納容器３０の上面開口を介して、収納容器３０に収納された食品の出し入れを行える。収納容器３０の材質としては、たとえば一般的な冷蔵庫の収納容器と同様にポリスチレンなどが用いられる。ただし、これに限定されるものではない。
【００２８】
チルド室５の前面側上段の空間の開口部には、仕切壁７又は側面壁に移動可能に固定された前面壁１３が設けられている。収納容器３０を引き出すことにより、前面壁１３が回動して扉１４ｂが開く。
【００２９】
＜野菜室４＞
野菜室４は、冷蔵室３よりも設定温度が高いたとえば、約３〜７℃といった冷蔵温度帯の貯蔵室である。野菜室４は、貯蔵品を収納するための空間を有し、食品のうち、特に、野菜を冷蔵するのに適している貯蔵室である。図２、図３に示すように、野菜室４は、冷蔵室３内の最下部に設けられている。
【００３０】
＜仕切壁７＞
図２に示すように、仕切壁７は、冷凍室２と冷蔵室３との間に設けられた壁である。仕切壁７には冷蔵室３から冷凍室２への伝熱による熱量侵入を防止するために断熱材が充填されている。図３に示すように、仕切壁７は、戻り風路１６を内蔵し、冷蔵室３内からの冷気が戻り風路１６側に吸い込まれる吸込口である戻り風路入口１６ａを有する。戻り風路入口１６ａは、冷蔵室３の扉１４ｂ側である前面側の部分に形成されている。
【００３１】
＜冷気の流れ＞
次に、図２、図３を用いて、冷却器８で作られた冷気の流れについて説明する。ここで、図２、図３における矢印は、冷気の流れを示す。冷却器８で作られた冷気は、送風ファン９を通り、冷凍室２側と冷蔵室３側とに送られる冷気に分けられる。冷蔵室３へ向かう冷気は、冷却風路１０を通り、ダンパ１１によって、チルド室５と、冷蔵室３とに向かう冷気に分けられる。そして、冷蔵室３に向かう冷気は、棚上を通り、冷蔵室３の前方で下方から上方へ緩やかに上昇し、戻り風路１６へ向かう。
【００３２】
＜戻り風路１６＞
戻り風路入口１６ａが冷蔵庫１の前方部に形成されている。このため、冷蔵室３内の奥側に配置された各吹出口３１ａ〜３１ｆから効率良く冷却風を吹き出せられる。戻り風路入口１６ａの位置が吹出口３１ａ〜３１ｆから必然的に遠い。このため、冷却風の風速を遅くしても、冷却風がショートパスせずに各室を効率的に冷却できる。
【００３３】
一方、戻り風路１６の位置が冷蔵庫１の前方側ではなく背面側にある場合では、冷却風の風速をある程度確保しなければ戻り風路入口とショートパスする可能性が高く、ショートパスを回避するために風速を一定速以上確保しなければならなかった。しかし、冷蔵庫１では、冷却風の風速に特に制約はなくなり、吹出口３１ａ〜３１ｆ付近の食品を意図せず凍結させず、食品の冷却保存に適した冷却風で食品が冷却できる。
【００３４】
冷蔵室の戻り風路が冷蔵室の下側に構成される場合には、前側に戻り風路入口があると、肉汁などの食品汁又は食品カスをこぼす可能性が高く、戻り風路が詰まってしまう。このため、冷蔵室の下側の戻り風路は、冷蔵庫の品質を保つために実現が困難であった。そのため、戻り風路の位置は、基本的に奥側に配置されていた。しかし、冷蔵庫１では、冷蔵室３の上方の仕切壁７内に戻り風路１６を形成している。このため、肉汁などの食品汁又は食品カスをこぼしても戻り風路１６が詰まる心配が無い。そして、冷蔵室３の前側の戻り風路入口１６ａを有する戻り風路１６が形成できる。
【００３５】
＜冷凍室のリブ１８＞
図４は、本発明の実施の形態１に係る冷蔵庫１における冷凍室２を図３のＺ−Ｚ断面にて示す横断面図である。図５は、本発明の実施の形態１に係る冷蔵庫１における冷凍室２を図２のＹ−Ｙ断面にて示す縦断面図である。なお、図４では、床上棚１５を破線で示してリブ１８が視認できるようにしている。
【００３６】
図４、５に示すように、冷凍室２の床面２１には、複数のリブ１８が設けられている。複数のリブ１８の隣接した間隔は、複数のリブ１８のうち隣り合うリブ１８の間に人の指が入り込める幅である。具体的には、隣り合うリブ１８の間の距離は、できれば１５〜２０ｍｍ程度が望ましい。これは、リブ１８間の距離が狭くなり過ぎてしまうと、隣り合うリブ１８間の清掃性が損なわれるからである。隣り合うリブ１８の間の距離が１５〜２０ｍｍ程度あれば、使用者の指が十分に入る隙間ができ、その部分が十分に清掃できる。
【００３７】
図５に示すように、複数のリブ１８の上端部１８ａは、円弧の丸みを帯びた形状である。リブ１８の上端部１８ａがエッジのある角形状の場合には、使用者が清掃時にエッジで負傷してしまう可能性がある。リブ１８の上端部１８ａが円弧のような丸みを帯びた形状であれば、エッジのような鋭い部分は無く、使用者が清掃時に負傷するおそれがない。このときの円弧としてはＲ３〜Ｒ４程度が望ましい。あまりにＲを付け過ぎると、リブ１８上に直接食品を置く場合に食品の安定性が悪くなる。
【００３８】
リブ１８の高さは、約５ｍｍ程度が望ましい。あまりにリブ１８が高過ぎると上述のようにリブ１８上に直接食品を置いた際に食品の安定性が悪くなる。また、リブ１８をあまりに高くすると冷凍室２としての実質的な食品保存スペースが縮小されてしまう。一方、リブ１８の高さが低過ぎると、リブ１８と床上棚１５との隙間で構成されるダクトのような戻り風路２２の高さが低くなり過ぎてしまい、冷却風が流れ難くなる。つまり、複数のリブ１８の高さは、床上棚１５と接触したリブ１８の上端部１８ａから下方にて複数のリブ１８のうち隣り合うリブ１８と床上棚１５と床面２１との間に隙間を形成する高さである。そして、複数のリブ１８のうち隣り合うリブ１８と床上棚１５と床面２１との間に、室内前面側から奥面側に冷気が流れる戻り風路２２が形成されている。
【００３９】
図４、５に示すように、複数のリブ１８は、室内前面側から奥面側に直線状に延伸されている。このため、複数のリブ１８は、室内前面側から奥面側に直線状に平行に並列している。
【００４０】
＜床上棚１５＞
図４、図５に示すように、複数のリブ１８上には、リブ１８の上端部１８ａと接触した床上棚１５が設けられている。床上棚１５は、着脱自在である。床上棚１５の下面は、複数のリブ１８の上端部１８ａと接触する部分が上方に凹んだ凹部１５ａを有する。これにより、床上棚１５は、下面の凹部１５ａがリブ１８の上端部１８ａに嵌まり、安定した固定状態となる。また、床上棚１５は、リブ１８と接触面積を十分にとれる。
【００４１】
図６は、本発明の実施の形態１に係る冷蔵庫１における床上棚１５の爪部２４とレール２３との固定箇所を図５のＡ部を拡大して示す拡大図である。図５、図６に示すように、冷凍室２内の左右の側面には、１対のレール２３が設けられている。１対のレール２３は、冷凍室２内の側面において中央部から奥側にかけて形成されている。床上棚１５は、複数のリブ１８と１対のレール２３とに上下方向にて挟まれて保持される。床上棚１５は、１対のレール２３のそれぞれに引っ掛かる１対の爪部２４を有する。１対の爪部２４は、床上棚１５の上部に設けられている。床上棚１５の下方領域では、リブ１８の高さによって制約され、爪部を設ける領域が十分に確保できない。また、床上棚１５の下部の爪部では、爪部が視認できず、床上棚１５の取り付け性が損なわれる。
【００４２】
床上棚１５は、側面を従来の冷蔵庫の棚構造と同じように１対のレール２３と１対のレール２３のそれぞれに引っ掛かる１対の爪部２４とによって固定される。これにより、床上棚１５の下面は、リブ１８との接触面積が確保でき、摩擦抵抗が増加して床上棚１５が確実に固定できる。そのため、床上棚１５は、従来の冷蔵庫の棚よりもしっかりと固定され、棚揺れによる食品崩れが防止できる。
【００４３】
床上棚１５の周囲には、樹脂フレームが取り付けられている。床上棚１５が冷蔵庫１内へ組み付けられるために、樹脂フレームが床上棚１５の周囲に取り付けられる必要がある。また、床上棚１５自体の部材は、樹脂又はガラスなどでも良い。
【００４４】
また、床上棚１５は、熱伝導性の優れる軽量な金属系物質で構成されても良い。床上棚１５自体の冷却効率及び食品への冷却効率が向上できる。また、使用者の利便性を考慮すれば、床上棚１５は、清掃時に使用者の負担にならないよう軽量化されているのが好ましく、たとえばアルミニウムなどの軽量な金属製が望ましい。
【００４５】
＜吹出口３２＞
図２、図３に示すように、冷凍室２の奥面である内壁パネル１９の上部における冷気吸込口３３よりも上方には、室内上部を室内奥側から前面側に流れる冷気を吹き出す吹出口３２が形成されている。これにより、冷凍室２内に食品が多量に積載されても冷気が冷凍室２内に送り込める。
【００４６】
＜冷気吸込口３３＞
図３に示すように、冷凍室２の奥面である内壁パネル１９の下部には、冷気吸込口３３が形成されている。冷気吸込口３３は、床上棚１５の上方を室内前面側から奥面側に流れる冷気と、戻り風路２２を室内前面側から奥面側に流れる冷気と、を冷凍室２の背面の奥側に形成された冷却室４０に戻す。冷気吸込口３３は、冷凍室２の奥面である内壁パネル１９の下部にて床上棚１５の上方を室内前面側から奥面側に流れる冷気が冷却室４０に戻される第１吸込口３３ａを有する。冷気吸込口３３は、冷凍室２の奥面である内壁パネル１９の下部における第１吸込口３３ａの下方にて戻り風路２２を室内前面側から奥面側に流れる冷気が冷却室４０に戻される第２吸込口３３ｂを有する。これにより、冷凍室２内に食品が多量に積載されても冷気が冷凍室２内から冷気吸込口３３に吸い込める。なお、冷気吸込口３３は、第１、第２吸込口３３ａ、３３ｂの２つ形成されるのではなく、１つの大きなものでも良い。
【００４７】
＜変形例１＞
なお、上述の冷蔵庫１において、冷凍室２の下方の冷蔵室３内の上部領域に形成されたチルド室５は、切換室であっても良い。切換室とは、室内の温度が冷蔵室３よりも低い−３℃前後のマイナス温度帯に設定されるパーシャル室又は室内の温度がパーシャル室より高い０〜−３℃前後の過冷却保存室などのチルド室に切り換え自在な室である。このような切換室を備える場合には、切換室内にて保存する食品に適した温度帯が選択でき、使用者の利便性の向上が図れる。
【００４８】
＜床上棚１５を装着する動作＞
図７は、本発明の実施の形態１に係る冷蔵庫１における床上棚１５を装着する第１動作を示す説明図である。図８は、本発明の実施の形態１に係る冷蔵庫１における床上棚１５を装着する第２動作を示す説明図である。図９は、本発明の実施の形態１に係る冷蔵庫１における床上棚１５を装着する第３動作を示す説明図である。
【００４９】
図７に示すように、床上棚１５は、室内奥側をリブ１８側に下げた状態で冷凍室２内に入れられる。このとき、冷凍室２内の中央部まで奥に入り込んだ床上棚１５は、１対のレール２３の前側端部に突き当たる。次に、図８に示すように、床上棚１５は、室内前側をリブ１８上まで下される。これにより、床上棚１５は、棚面を水平状態にし、下面の凹部１５ａがリブ１８の上端部１８ａに嵌め合う。次に、図９に示すように、床上棚１５は、平行に室内奥側にスライドさせられる。ここで、複数のリブ１８が室内前面側から奥面側に直線状に延伸されているので、床上棚１５が下面の凹部１５ａをリブ１８の上端部１８ａに嵌め合わせた状態を維持しながらスムーズにスライドする。このとき、１対の爪部２４のそれぞれが冷凍室２内の左右の側壁に設けられた１対のレール２３のそれぞれに引っ掛かり、床上棚１５が室内奥側に向かう。そして、床上棚１５の奥側端部が冷凍室２の奥面に突き当たってしっかり固定される。なお、床上棚１５を取り外す場合には、床上棚１５が室内前面側に水平にスライドされれば良い。
【００５０】
また、ここでは、１対のレール２３が冷凍室２内の中央部より室内奥側に設けられた場合を説明した。しかし、これに限られない。１対のレール２３は、冷凍室２内の中央部より室内前側から中央部より室内奥側まで長く形成されても良い。この場合には、床上棚１５は、冷凍室２内に入れられる当初から棚面を水平状態にし、平行に室内奥側にスライドさせられる。このとき、１対の爪部２４のそれぞれが冷凍室２内の左右の側壁に設けられた１対のレール２３のそれぞれに引っ掛かる。
【００５１】
＜冷凍室２の作用＞
上述のようなリブ１８、床上棚１５及び戻り風路２２が構成されることにより、床上棚１５の安定性が確保できる。また、床上棚１５自体が冷却できる。これにより、冷蔵室３からの伝熱による熱量侵入が抑制でき、冷凍室２に食品が積載されても食品保存時の食品温度バラツキが防止できる。また、床上棚１５のしっかりとした固定によって床面２１の揺れによる床上棚上の食品崩れが防止できる。
【００５２】
＜実施の形態１の効果＞
実施の形態１によれば、冷蔵庫１は、上から順に冷凍室２と冷蔵室３とが構成されている。冷凍室２と冷蔵室３との間には、仕切壁７が設けられている。冷蔵庫１は、トップフリーザ形態のものである。冷凍室２の床面２１には、複数のリブ１８が設けられている。複数のリブ１８上には、リブ１８の上端部１８ａと接触した床上棚１５が設けられている。
【００５３】
この構成によれば、複数のリブ１８が設けられ、冷凍室２の下方に配置された冷蔵室３からの伝熱による熱量侵入が抑制できる。また、複数のリブ１８のうち隣り合うリブ１８の間に冷気が流れる戻り風路２２が形成され、床上棚１５上の食品が床上棚１５の下方からも冷却できる。よって、冷凍室２内での食品積載時の保存温度のバラツキが抑制できる。また、リブ１８上ではなく、床上棚１５上に食品が載り、床上棚１５の上面が使用により汚れるので、使用者は床上棚１５の上面を掃除すれば良く、冷凍室２の清掃性が向上できる。さらに、リブ１８上ではなく、床上棚１５上に食品が載り、食品の載置状態が安定するので、冷凍室２内で食品満載時に食品崩れが発生し難く、使用者の利便性が向上できる。したがって、冷凍室２内での食品積載時の保存温度のバラツキが抑制できるとともに、冷凍室２の清掃性及び使用者の利便性が向上できる。
【００５４】
実施の形態１によれば、複数のリブ１８の高さは、床上棚１５と接触したリブ１８の上端部１８ａから下方にて複数のリブ１８のうち隣り合うリブ１８と床上棚１５と床面２１との間に戻り風路２２となる隙間を形成する高さである。
【００５５】
この構成によれば、隙間である戻り風路２２を形成する高さの複数のリブ１８が設けられ、冷凍室２の下方に配置された冷蔵室３からの伝熱による熱量侵入が抑制できる。また、複数のリブ１８のうち隣り合うリブ１８の間の隙間に冷気が流れる戻り風路２２が形成され、床上棚１５上の食品が床上棚１５の下方からも冷却できる。よって、冷凍室２内での食品積載時の保存温度のバラツキが抑制できる。
【００５６】
実施の形態１によれば、複数のリブ１８の隣接した間隔は、複数のリブ１８のうち隣り合うリブ１８の間に人の指が入り込める１５〜２０ｍｍ程度の幅である。
【００５７】
この構成によれば、使用者は隣り合うリブ１８の間に指を入れて掃除でき、冷凍室２の清掃性が向上できる。
【００５８】
実施の形態１によれば、複数のリブ１８の上端部１８ａは、丸みを帯びた形状である。
【００５９】
この構成によれば、使用者がリブ１８に触れても怪我をすることがなく、冷凍室２の安全性が向上する。
【００６０】
実施の形態１によれば、複数のリブ１８は、室内前面側から奥面側に直線状に延伸されている。
【００６１】
この構成によれば、隣り合うリブ１８の間の隙間に冷気が流れる戻り風路２２が形成され、床上棚１５上の食品が床上棚１５の下方からも冷却できる。特に、冷凍室２内の室内前面側から奥側に冷気が戻り風路２２となる隙間を真っ直ぐに並列して他の経路に阻害されずに流れ、床上棚１５の下方からの冷却が冷凍室２の床面２１全体に均等に実施できる。よって、冷凍室２内での食品積載時の保存温度のバラツキが抑制できる。
【００６２】
実施の形態１によれば、床上棚１５は、着脱自在である。
【００６３】
この構成によれば、床上棚１５が取り外して清掃でき、冷凍室２の清掃性が向上できる。よって、食品を載せる床上棚１５が清潔に保て、冷凍室２内の食品の安定性が保てる。また、従来のように隣り合うリブの間隔を狭くする必要がなく、隣り合うリブ１８の間の隙間を用いた戻り風路２２が確保できる。
【００６４】
実施の形態１によれば、床上棚１５の下面は、複数のリブ１８の上端部１８ａと接触する部分がリブ１８に嵌まり込む上方に凹んだ凹部１５ａを有する。
【００６５】
この構成によれば、床上棚１５が複数のリブ１８の上端部１８ａと凹部１５ａによって動かないように確実に接触する。このため、床上棚１５が動いてしまうことに起因する食品崩れなどが防止できる。よって、冷凍室２の食品積載時の安定性が保てる。また、床上棚１５の装着の際に、使用者は凹部１５ａをリブ１８に嵌めて床上棚１５を室内奥側にスライドさせて固定でき、床上棚１５の装着が容易である。
【００６６】
実施の形態１によれば、冷凍室２内の左右の側面には、１対のレール２３が設けられている。床上棚１５は、複数のリブ１８と１対のレール２３とに上下方向にて挟まれて保持される。
【００６７】
この構成によれば、床上棚１５が複数のリブ１８と１対のレール２３とに上下方向にて挟まれて保持される。このため、床上棚１５が動いてしまうことに起因する食品崩れなどが防止できる。よって、冷凍室２の食品積載時の安定性が保てる。
【００６８】
実施の形態１によれば、床上棚１５は、１対のレール２３のそれぞれに引っ掛かる１対の爪部２４を有する。
【００６９】
この構成によれば、床上棚１５の１対の爪部２４のそれぞれが１対のレール２３のそれぞれに引っ掛かり、床上棚１５が確実に固定できる。このため、床上棚１５が動いてしまうことに起因する食品崩れなどが防止できる。よって、冷凍室２の食品積載時の安定性が保てる。
【００７０】
実施の形態１によれば、床上棚１５は、熱伝導性の優れた軽量な金属系物質で構成されている。
【００７１】
この構成によれば、床上棚１５から食品への冷却効率が良く、床上棚１５に載せた食品が床上棚１５の下方の戻り風路２２からもより良く冷却できる。
【００７２】
実施の形態１によれば、複数のリブ１８のうち隣り合うリブ１８と床上棚１５と床面２１との間に、室内前面側から奥面側に冷気が流れる戻り風路２２が形成される。
【００７３】
この構成によれば、隣り合うリブ１８の間の隙間に冷気が流れる戻り風路２２が形成され、床上棚１５上の食品が床上棚１５の下方からも冷却できる。よって、冷凍室２内での食品積載時の保存温度のバラツキが抑制できる。
【００７４】
実施の形態１によれば、冷凍室２の奥面の下部には、床上棚１５の上方を室内前面側から奥面側に流れる冷気と、戻り風路２２を室内前面側から奥面側に流れる冷気と、が冷凍室２の背面の奥側に設けられた冷却室４０に戻される冷気吸込口３３が形成されている。
【００７５】
この構成によれば、冷気が床上棚１５の上方を室内前面側から奥面側に流れるとともに、隣り合うリブ１８の間の戻り風路２２となる隙間を室内前面側から奥面側に流れる。このため、食品及び床上棚１５が全体的に効率良く冷却できる。よって、冷凍室２内での食品積載時の保存温度のバラツキが抑制できる。
【００７６】
実施の形態１によれば、冷気吸込口３３は、冷凍室２の奥面の下部にて床上棚１５の上方を室内前面側から奥面側に流れる冷気が冷却室４０に戻される第１吸込口３３ａを有する。冷気吸込口３３は、冷凍室２の奥面の下部における第１吸込口３３ａの下方にて戻り風路２２を室内前面側から奥面側に流れる冷気が冷却室４０に戻される第２吸込口３３ｂを有する。
【００７７】
この構成によれば、冷気が第１吸込口３３ａに向けて床上棚１５の上方を室内前面側から奥面側に流れる。また同時に、冷気が第２吸込口３３ｂに向けて隣り合うリブ１８の間の戻り風路２２となる隙間を室内前面側から奥面側に流れる。このため、食品及び床上棚１５が全体的に効率良く冷却できる。よって、冷凍室２内での食品積載時の保存温度のバラツキが抑制できる。
【００７８】
実施の形態１によれば、冷凍室２の奥面の上部における冷気吸込口３３よりも上方には、室内上部を室内奥側から前面側に流れる冷気を吹き出す吹出口３２が形成されている。
【００７９】
この構成によれば、冷凍室２には、冷気吸込口３３よりも上方の吹出口３２から室内上部を室内奥側から前面側に流れる冷気が吹き出される。吹き出された冷気は、冷凍室２内の前面側にて下方に流れを変える。そして、冷凍室２内の前面側の冷気が床上棚１５の上方を室内前面側から奥面側に流れるとともに、隣り合うリブ１８の間の戻り風路２２となる隙間を室内前面側から奥面側に流れる。このため、食品及び床上棚１５が全体的に効率良く冷却できる。よって、冷凍室２内での食品積載時の保存温度のバラツキが抑制できる。
【００８０】
実施の形態１によれば、仕切壁７内には、断熱材が充填されている。
【００８１】
この構成によれば、仕切壁７内に断熱材が設けられ、冷凍室２の下方に配置された冷蔵室３からの伝熱による熱量侵入が抑制できる。よって、冷凍室２の冷熱の効率が良い。
【００８２】
実施の形態１によれば、冷蔵庫１は、冷凍室２の下方の冷蔵室３内の上部領域に形成され、冷蔵室３よりも低いマイナス温度帯のパーシャル室又はパーシャル室より高いプラス温度帯のチルド室に切り換え自在な切換室を備える。
【００８３】
この構成によれば、トップフリーザ形態の冷蔵庫１において冷凍室２に最も近い下方の位置に温度帯の低い切換室が設けられ、冷凍室２の背面の奥側に設けられた冷却室４０からの冷熱の効率が良い。
【符号の説明】
【００８４】
１  冷蔵庫、２  冷凍室、３  冷蔵室、４  野菜室、５  チルド室、６  圧縮機、７  仕切壁、８  冷却器、９  送風ファン、１０  冷却風路、１１  ダンパ、１２  棚、１３  前面壁、１４ａ  扉、１４ｂ  扉、１５  床上棚、１５ａ  凹部、１６  戻り風路、１６ａ  戻り風路入口、１８  リブ、１８ａ  上端部、１９  内壁パネル、２１  床面、２２  戻り風路、２３  レール、２４  爪部、３０  収納容器、３１ａ〜３１ｆ  吹出口、３２  吹出口、３３  冷気吸込口、３３ａ  第１吸込口、３３ｂ  第２吸込口、４０  冷却室、５０  筐体、１００  制御装置。
【図１】
0006949220.tif 000002
【図２】
0006949220.tif 000003
【図３】
0006949220.tif 000004
【図４】
0006949220.tif 000005
【図５】
0006949220.tif 000006
【図６】
0006949220.tif 000007
【図７】
0006949220.tif 000008
【図８】
0006949220.tif 000009
【図９】
0006949220.tif 000010